(57)【要約】  【目的】  注文が店舗Ａにくるようにする。  【構成】  店舗Ａの識別コードが刻印されているディスクａがユーザαに配布される。ディスクａがユーザαのクライアント・コンピュータ２に装填され，ディスクａに格納されている注文ソフトウエアがインストールされる。識別コードが入力され，入力された識別コードがサーバ・コンピュータ３に送信される。識別コードにもとづいて，店舗ＡのＩＰアドレスがデータベース４から見つけられる。見つけられたＩＰアドレスがクライアント・コンピュータ２に送信される。クライアント・コンピュータ２において注文内容が入力されると，入力された注文内容が，サーバ・コンピュータ３から送信されたＩＰアドレスをもつ店舗Ａの店舗用コンピュータ１に送信される。ユーザαは店舗Ａに注文するようになる。  【選択図】      図２
2005202459.tif 000002
【特許請求の範囲】
【請求項１】
互いに通信可能なクライアント・コンピュータとサーバ・コンピュータとを含む注文管理システムにおいて，
上記クライアント・コンピュータが，
店舗を識別するための識別コードを読み取る識別コード読み取り手段，および
上記識別コード読み取り手段によって読み取られた識別コードをサーバ・コンピュータに送信する識別コード送信手段を備え，
上記サーバ・コンピュータが，
識別コードと店舗用コンピュータのアドレスとが対応して記憶されているデータベースを検索して，上記クライアント・コンピュータの上記識別コード送信手段から送信された識別コードに対応する店舗に配置されている店舗用コンピュータのアドレスを見つける検索手段，および
上記検索手段により見つかったアドレスを表すデータを上記クライアント・コンピュータに送信するアドレス・データ送信手段を備え，
上記クライアント・コンピュータが，
注文情報を入力する注文情報入力手段，および
上記サーバ・コンピュータの上記アドレス・データ送信手段から送信されたアドレス・データによって特定されるアドレスをもつ店舗用コンピュータに，上記注文情報入力手段から入力された注文情報を送信する注文情報送信手段をさらに備えた，
注文管理システム。
【請求項２】
店舗を識別するための識別コードを読み取る識別コード読み取り手段，
上記識別コード読み取り手段によって読み取られた識別コードをサーバ・コンピュータに送信する識別コード送信手段，
上記識別コード送信手段から識別コードが上記サーバ・コンピュータに送信されたことに応じて，識別コードと店舗用コンピュータのアドレスとが対応して記憶されているデータベースを上記サーバ・コンピュータにおいて検索して得られる店舗用コンピュータのアドレスを表すデータであって，上記サーバ・コンピュータから送信されるアドレス・データを受信する第１のアドレス・データ受信手段，
注文情報を入力する第１の注文情報入力手段，および
上記第１のアドレス・データ受信手段によって受信したアドレス・データによって特定されるアドレスをもつ店舗用コンピュータに，上記第１の注文情報入力手段から入力された注文情報を送信する注文情報送信手段，
を備えたクライアント・コンピュータ。
【請求項３】
上記第１のアドレス・データ受信手段によって受信したアドレス・データによって特定されるアドレスをもつ店舗用コンピュータが配置されている店舗用の第１の注文情報入力画像を表示するように表示装置を制御する第１の表示制御手段をさらに備え，
上記第１の注文情報入力手段が，上記第１の表示制御手段の制御装置のもとに表示される第１の注文情報入力画像を用いて注文情報を入力するものである，
請求項２に記載のクライアント・コンピュータ。
【請求項４】
上記第１の表示制御手段が，
上記アドレス・データ受信手段によって受信されたアドレス・データによって特定されるアドレスをもつ店舗用コンピュータが配置されている店舗に加えて，他の店舗に注文するためのリクエストを受け付ける領域をもつ第２の注文情報入力画像を表示するように表示装置を制御するものであり，
上記受け付け領域がクリックされたことに応じて，上記サーバ・コンピュータに他店舗のアドレス・データのリクエスト・データを送信するリクエスト・データ送信手段，
上記リクエスト・データ送信手段からリクエスト・データが送信されたことに応じて，上記サーバ・コンピュータから送信される他店舗のアドレス・データを受信する第２のアドレス・データ受信手段，および
上記第２のアドレス・データ受信手段によって受信されたアドレス・データによって特定されるアドレスをもつ店舗用コンピュータが配置されている店舗用の注文入力画像を表示するように表示装置を制御する第２の表示制御手段，
を備えた請求項３に記載のクライアント・コンピュータ。
【請求項５】
店舗用コンピュータから送信される店舗用コンピュータのアドレスを表すアドレス・データを受信するアドレス・データ受信手段，
識別コードと店舗用コンピュータのアドレスとが対応して記憶されているデータベースのアドレスのうち対応するアドレスを，上記アドレス・データ受信手段によって受信したアドレス・データによって表されるアドレスに更新するデータベース更新手段，
クライアント・コンピュータから送信された識別コードに対応する店舗用コンピュータのアドレスを，上記データベース更新手段によってアドレスが更新されるデータベースから見つける第１の検索手段，および
上記第１の検索手段によって見つかったアドレスを表すデータを，上記クライアント・コンピュータに送信する第１のアドレス・データ送信手段，
を備えたサーバ・コンピュータ。
【請求項６】
上記クライアント・コンピュータから送信される他店舗アドレス・データのリクエスト・データを受信するリクエスト・データ受信手段，
上記リクエスト・データ受信手段によってリクエスト・データを受信したことに応じて，他店舗のアドレスを見つけるように上記データベースを検索する第２の検索手段，および
上記第２の検索手段によって見つけられたアドレスを表すデータを上記クライアント・コンピュータに送信する第２のアドレス・データ送信手段，
を備えた請求項５に記載のサーバ・コンピュータ。
【請求項７】
店舗を識別するための識別コードを読み取り，
読み取られた識別コードをサーバ・コンピュータに送信し，
識別コードが上記サーバ・コンピュータに送信されたことに応じて，識別コードと店舗用コンピュータのアドレスとが対応して記憶されているデータベースを，上記サーバ・コンピュータにおいて検索して得られる店舗用コンピュータのアドレスを表すデータであって，上記サーバ・コンピュータから送信されるアドレス・データを受信し，
注文情報を入力し，
受信したアドレス・データによって特定されるアドレスをもつ店舗用コンピュータに，入力された注文情報を送信する，
クライアント・コンピュータの制御方法。
【請求項８】
店舗用コンピュータから送信される店舗用コンピュータのアドレスを表すアドレス・データを受信し，
識別コードと店舗用コンピュータのアドレスとが対応して記憶されているデータベースのアドレスのうち対応するアドレスを，上記アドレス・データ受信手段によって受信したアドレス・データによって表されるアドレスに更新し，
クライアント・コンピュータから送信された識別コードに対応する店舗用コンピュータのアドレスを，上記データベース更新手段によってアドレスが更新されるデータベースから見つけ，
見つかったアドレスを表すデータを，上記クライアント・コンピュータに送信する，
サーバ・コンピュータの制御方法。
【請求項９】
店舗を識別するための識別コードを読み取らせ，
読み取られた識別コードをサーバ・コンピュータに送信させ，
識別コードが上記サーバ・コンピュータに送信されたことに応じて，識別コードと店舗用コンピュータのアドレスとが対応して記憶されているデータベースを，上記サーバ・コンピュータにおいて検索して得られる店舗用コンピュータのアドレスを表すデータであって，上記サーバ・コンピュータから送信されるアドレス・データを受信させ，
注文情報を入力させ，
受信したアドレス・データによって特定されるアドレスをもつ店舗用コンピュータに，入力された注文情報を送信させるようにクライアント・コンピュータを制御するプログラム。
【請求項１０】
店舗用コンピュータから送信される店舗用コンピュータのアドレスを表すアドレス・データを受信させ，
識別コードと店舗用コンピュータのアドレスとが対応して記憶されているデータベースのアドレスのうち対応するアドレスを，受信したアドレス・データによって表されるアドレスに更新させ，
クライアント・コンピュータから送信された識別コードに対応する店舗用コンピュータのアドレスを，アドレスが更新されるデータベースから見つけさせ，
見つかったアドレスを表すデータを，上記クライアント・コンピュータに送信させるようにサーバ・コンピュータを制御するプログラム。
【請求項１１】
請求項９または10に記載のプログラムを格納した記録媒体。
【発明の詳細な説明】
【技術分野】
【０００１】
この発明は，注文管理システムならびに注文管理システムを構成するクライアント・コンピュータおよびサーバ・コンピュータならびにそれらの制御方法，それらを制御するプログラムに関する。
【背景技術】
【０００２】
スーパーマーケット，コンビニエンス・ストアなどのフランチャイズ店においては，インターネットを用いて商品の注文を受けることができるようになってきている。このようなシステムにおいては，フランチャイズの本部にあるコンピュータに各フランチャイズ店の住所などの店舗情報が格納されており，注文者からの注文情報もフランチャイズの本部にあるコンピュータに送信される。注文者の住所にもとづいて，その注文者の住所に近いフランチャイズ店の情報が注文者に送信される（特許文献１参照）。
【特許文献１】特開2001−357317号公報
【０００３】
このようなシステムにおいては，注文者の住所とフランチャイズ店の住所とから注文すべきフランチャイズ店が自動的に決定してしまう。
【発明の開示】
【０００４】
この発明は，店舗側に注文先の主導権を与えるようにすることを目的とする。
【０００５】
第１の発明は，互いに通信可能なクライアント・コンピュータとサーバ・コンピュータとを含む注文管理システムについてのものである。
【０００６】
上記クライアント・コンピュータは，店舗を識別するための識別コードを読み取る識別コード読み取り手段，および上記識別コード読み取り手段によって読み取られた識別コードをサーバ・コンピュータに送信する識別コード送信手段を備えている。
【０００７】
上記サーバ・コンピュータは，識別コードと店舗用コンピュータのアドレスとが対応して記憶されているデータベースを検索して，上記クライアント・コンピュータの上記識別コード送信手段から送信された識別コードに対応する店舗に配置されている店舗用コンピュータのアドレスを見つける検索手段，および上記検索手段により見つかったアドレスを表すデータを上記クライアント・コンピュータに送信するアドレス・データ送信手段を備えている。
【０００８】
上記クライアント・コンピュータは，さらに，注文情報を入力する注文情報入力手段，および上記サーバ・コンピュータの上記アドレス・データ送信手段から送信されたアドレス・データによって特定されるアドレスをもつ店舗用コンピュータに，上記注文情報入力手段から入力された注文情報を送信する注文情報送信手段を備えている。
【０００９】
第１の発明によると，通常は，各店舗からユーザに注文用ソフトウエアが格納されているCD-ROM（コンパクト・ディスク−リード・オンリ・メモリ）などの記録媒体が配布される。記録媒体を配布されたユーザは，ユーザの自宅にあるパーソナル・コンピュータ（クライアント・コンピュータ）にその注文用ソフトウエアをインストールする。すると，次に示すように注文情報を店舗に注文できる。
【００１０】
記録媒体には，配布した店舗を識別できる識別コードが刻印されており（必ずしも刻印されていなくともよく，記録媒体とは別の用紙に印字されていてもよい。），その刻印によって店舗を識別する識別コードがユーザに認識される。ユーザによってその識別コードがクライアント・コンピュータに入力される（入力手段）ことにより，クライアント・コンピュータに読み取られる。識別コードが読み取られると，その識別コードがクライアント・コンピュータからサーバ・コンピュータに送信される。
【００１１】
クライアント・コンピュータから送信された識別コードがサーバ・コンピュータにおいて受信されると，識別コードと店舗用コンピュータのアドレスとが対応して記憶されているデータベースが検索される。送信された識別コードによって特定される店舗に配置されている店舗用コンピュータのアドレスが検索により見つけられる。見つけられたアドレスを表すデータがサーバ・コンピュータからクライアント・コンピュータに送信される。
【００１２】
サーバ・コンピュータから送信されたアドレス・データがクライアント・コンピュータにおいて受信される。クライアント・コンピュータにおいて，注文情報が入力される。入力された注文情報が，受信したアドレス・データによって表されるアドレスをもつ店舗用コンピュータに送信される。
【００１３】
ユーザから送信される注文情報は，注文用ソフトウエアが格納されている記録媒体を配布した店舗に配置されている店舗用コンピュータに送信されるようになる。ユーザの注文先を店舗が決定できるようになる。また，店舗がフランチャイズ店などの場合にはユーザの注文情報の内容をフランチャイズの本部に知られずに済む。
【００１４】
第２の発明は，上記注文管理システムを構成するクライアント・コンピュータについてのものである。
【００１５】
第２の発明によるクライアント・コンピュータは，店舗を識別するための識別コードを読み取る識別コード読み取り手段，上記識別コード読み取り手段によって読み取られた識別コードをサーバ・コンピュータに送信する識別コード送信手段，上記識別コード送信手段から識別コードが上記サーバ・コンピュータに送信されたことに応じて，識別コードと店舗用コンピュータのアドレスとが対応して記憶されているデータベースを上記サーバ・コンピュータにおいて検索して得られる店舗用コンピュータのアドレスを表すデータであって，上記サーバ・コンピュータから送信されるアドレス・データを受信する第１のアドレス・データ受信手段，注文情報を入力する第１の注文情報入力手段，および上記第１のアドレス・データ受信手段によって受信したアドレス・データによって特定されるアドレスをもつ店舗用コンピュータに，上記第１の注文情報入力手段から入力された注文情報を送信する注文情報送信手段を備えていることを特徴とする。
【００１６】
第２の発明は，上記クライアント・コンピュータに適した制御方法も提供している。すなわち，この方法は，店舗を識別するための識別コードを読み取り，読み取られた識別コードをサーバ・コンピュータに送信し，識別コードが上記サーバ・コンピュータに送信されたことに応じて，識別コードと店舗用コンピュータのアドレスとが対応して記憶されているデータベースを上記サーバ・コンピュータにおいて検索して得られる店舗用コンピュータのアドレスを表すデータであって，上記サーバ・コンピュータから送信されるアドレス・データを受信し，注文情報を入力し，受信したアドレス・データによって特定されるアドレスをもつ店舗用コンピュータに，入力された注文情報を送信するものである。
【００１７】
第２の発明は，上記クライアント・コンピュータを制御するプログラムおよびそのプログラムを格納した記録媒体も提供している。
【００１８】
第２の発明によると，第１の発明と同様にして，識別コードが読み取られる。読み取られた識別コードがサーバ・コンピュータに送信される。サーバ・コンピュータにおいて，識別コードに対応するアドレスがデータベースから見つけられる。見つけられたアドレスを表すデータがサーバ・コンピュータからクライアント・コンピュータに送信される。クライアント・コンピュータにおいて，サーバ・コンピュータから送信された識別データが受信される。クライアント・コンピュータにおいて注文情報が入力され，入力された注文情報が，受信した識別データによって特定されるアドレスをもつ店舗用コンピュータに送信される。識別コードを利用して，ユーザの注文先を指定できるようになる。
【００１９】
上記クライアント・コンピュータは，上記アドレス・データ受信手段によって受信したアドレス・データによって特定されるアドレスをもつ店舗用コンピュータが配置されている店舗用の第１の注文情報入力画像を表示するように表示装置を制御する第１の表示制御手段をさらに備えるようにしてもよい。この場合，上記第１の注文情報入力手段は，上記第１の表示制御手段の制御装置のもとに表示される第１の注文情報入力画像を用いて注文情報を入力するものとなろう。
【００２０】
第１の注文情報入力画像を利用して入力された注文情報がクライアント・コンピュータから，識別コードによって特定される店舗用コンピュータに送信されることとなる。
【００２１】
また，上記第１の表示制御手段は，上記アドレス・データ受信手段によって受信されたアドレス・データによって特定されるアドレスをもつ店舗用コンピュータが配置されている店舗に加えて，他の店舗に注文するためのリクエストを受け付ける領域をもつ第２の注文情報入力画像を表示するように表示装置を制御するものでもよい。この場合，上記受け付け領域がクリックされたことに応じて，上記サーバ・コンピュータに他店舗のアドレス・データのリクエスト・データを送信するリクエスト・データ送信手段，上記リクエスト・データ送信手段からリクエスト・データが送信されたことに応じて，上記サーバ・コンピュータから送信される他店舗のアドレス・データを受信する第２のアドレス・データ受信手段，および上記第２のアドレス・データ受信手段によって受信されたアドレス・データによって特定されるアドレスをもつ店舗用コンピュータが配置されている店舗用の注文入力画像を表示するように表示装置を制御する第２の表示制御手段（第１の表示制御手段と同じものでもよい）をさらに備えるものとなろう。
【００２２】
第１の注文画像入力画像には，他の店舗に注文するためのリクエストを受け付ける領域が含まれている。この領域がクリックされると，他店舗のアドレス・データをリクエストするデータがクライアント・コンピュータからサーバ・コンピュータに送信される。リクエスト・データがサーバ・コンピュータにおいて受信されると，他店舗のアドレスが検索により見つけられる。他店舗のアドレス・データがサーバ・コンピュータからクライアント・コンピュータに送信される。すると，他店舗用の注文入力画像が表示される。他店舗に注文することができるようになる。
【００２３】
第３の発明は，注文管理システムを構成するサーバ・コンピュータについてのものである。
【００２４】
第３の発明によるサーバ・コンピュータは，上記クライアント・コンピュータから送信される他店舗アドレス・データのリクエスト・データを受信するリクエスト・データ受信手段，上記リクエスト・データ受信手段によってリクエスト・データを受信したことに応じて，他店舗のアドレスを見つけるように上記データベースを検索する第２の検索手段，および上記第２の検索手段によって見つけられたアドレスを表すデータを上記クライアント・コンピュータに送信する第２のアドレス・データ送信手段を備えている。
【００２５】
第３の発明は，上記サーバ・コンピュータに適した制御方法も提供している。すなわち，この方法は，店舗用コンピュータから送信される店舗用コンピュータのアドレスを表すアドレス・データを受信し，識別コードと店舗用コンピュータのアドレスとが対応して記憶されているデータベースのアドレスのうち対応するアドレスを，上記アドレス・データ受信手段によって受信したアドレス・データによって表されるアドレスに更新し，クライアント・コンピュータから送信された識別コードに対応する店舗用コンピュータのアドレスを，上記データベース更新手段によってアドレスが更新されるデータベースから見つけ，見つかったアドレスを表すデータを，上記クライアント・コンピュータに送信するものである。
【００２６】
第３の発明は，上記サーバ・コンピュータを制御するためのプログラムおよびそのプログラムを格納した記録媒体も提供している。
【００２７】
第３の発明によると，店舗用コンピュータからサーバ・コンピュータに，店舗用コンピュータのアドレスを表すアドレス・データが送信される。店舗用コンピュータから送信されたアドレス・データがサーバ・コンピュータにおいて受信されると，サーバ・コンピュータによって，識別コードと店舗用コンピュータのアドレスとが対応して記憶されているデータベースのアドレスのうち対応するアドレスが更新される。
【００２８】
クライアント・コンピュータから識別コードが送信されると，その識別コードに対応したアドレスがデータベースから読み取られる。読み取られたアドレスを表すデータがサーバ・コンピュータからクライアント・コンピュータに送信される。
【００２９】
第３の発明によると，クライアント・コンピュータからの要求に応じて識別コードに対応した店舗用コンピュータのアドレス・データをクライアント・コンピュータに送信することができる。店舗用コンピュータが配置されている店舗の店主は，クライアント・コンピュータのユーザである顧客に自分の店舗に配置されている店舗用コンピュータのアドレスを知らせることができる。
【実施例】
【００３０】
図１は，この発明による実施例を説明するためのもので，この実施例によるソフトウエアを配布する形態の一例を示している。
【００３１】
この実施例はインターネット（インターネット以外のネットワークでもよい）を介してユーザ（顧客）からの注文を受け付けるものである。
【００３２】
この実施例においては，多数の店舗（例えば，フランチャイズ・チェーンに加盟している店舗が考えられるが，必ずしも加盟していなくともよい）Ａ〜Ｎが想定されている。店舗Ａ〜Ｎのそれぞれには，店舗内に店舗用コンピュータが配置されている。各店舗Ａ〜Ｎからユーザに対して，各店舗Ａ〜Ｎごとに固有の識別コードがパッケージ，ディスク本体などに刻印されているディスク（CD-ROMなど）ａ〜ｎが配布される。識別コードは，必ずしも刻印されていなくともよく，ディスクとは別に用紙などに印刷されていてもよい。ディスクをもらったユーザは，ユーザの自宅などにあるパーソナル・コンピュータにそのディスクを装填する。すると，ディスクに格納されている注文ソフトウエア（注文ソフトウエアはディスクに格納されていなくともよく，メモリ・カードなどその他の媒体に格納されていてもよい）がインストールされ，その注文ソフトウエアを用いて店舗に注文を行うことができる。
【００３３】
とくにこの実施例においては，ディスクを配布した店舗に注文する，あるいはディスクを配布した店舗が優先して注文を受け付けるようになる。注文ソフトウエアが格納されているディスクを配布した店舗が自分の店舗に注文がくるようにできる。
【００３４】
図２は，ディスクに刻印されている識別コードの一例である。
【００３５】
識別コードには，４桁の店舗コード，４桁の連番および１桁のチェック・ディジットが含まれている。店舗コードは，店舗に固有のもので，この店舗コードによって店舗を特定できる。連番は，各店舗ごとに配布されたディスクの枚数を確認するためのものである。もっとも識別コードは店舗コードのみであってもよい。
【００３６】
図３は，この実施例による注文システムの概要を示している。
【００３７】
以下，店舗Ａによってユーザαに配布されたディスクａに格納されている注文ソフトウエアを用いて，ユーザαが注文を行う場合について説明する。
【００３８】
上述したように，店舗Ａには，店舗用コンピュータ１が配置されている。この店舗用コンピュータ１は，インターネットと接続可能である。
【００３９】
ディスクａをもらったユーザαの自宅には，パーソナル・コンピュータ（クライアント・コンピュータ）２が置かれている。このクライアント・コンピュータ２に，ディスクａが装填されることにより，ディスクａに格納されている注文ソフトウエアがインストールされる。インストールされた注文ソフトウエアにしたがってクライアント・コンピュータ２が動作する。
【００４０】
フランチャイズ・チェーンの本部にはサーバ・コンピュータ３が設けられている。ディスクＳがサーバ・コンピュータ３に装填され，ディスクＳに格納されているサーバ用ソフトウエアがサーバ・コンピュータ３にインストールされることにより，後述する処理が行われる。サーバ・コンピュータ３には，店舗データベース４が接続されている。店舗データベース４には，店舗ごとに固有の店舗コードと店舗に配置されている店舗用コンピュータのＩＰ（インターネット・プロトコル）アドレスとが対応して格納されている。
【００４１】
店舗用コンピュータ１，クライアント・コンピュータ２およびサーバ・コンピュータ３のいずれにもインターネットと接続するための通信回路，ＣＰＵ，表示装置，入力装置，記憶装置などが含まれているのはいうまでもない。
【００４２】
図４は，店舗データベース４に格納されている店舗コードとＩＰアドレスとを示すテーブルを示している。
【００４３】
店舗データベース４には，上述したように，各店舗に固有の店舗コードと各店舗に配置されている店舗用コンピュータ１のＩＰアドレスとが対応して記憶されている。ＩＰアドレスは，固定のものでもよいし，動的なものでもよい。固定ＩＰアドレスであれば，店舗データベース４に最初に記憶すればよいが，動的なＩＰアドレスの場合には，各店補に配置されている店舗用コンピュータの電源がオンされるたびにＩＰアドレスを表すデータが店舗用コンピュータ１（動的なＩＰアドレスの場合，例えば店舗用コンピュータ１がインターネットに接続するごとに割当てられる）からサーバ・コンピュータ３に送信され，店舗データベース３に格納されているＩＰアドレスのうち対応するＩＰアドレスが更新される。
【００４４】
図５は，店舗コードを更新する店舗用コンピュータ１とサーバ・コンピュータ３との間の処理手順を示すフローチャートである。店舗用コンピュータ１のＩＰアドレスは動的なものとする。
【００４５】
店舗用コンピュータ１の電源がオンされると（ステップ11でＹＥＳ），店舗コード（この店舗コードは，店舗Ａにおいて配布されたディスクａに刻印されている識別コードに含まれているものと同一のものであり，店舗用コンピュータ１の記憶装置に記憶されているものである。記憶されている店舗コードが読み取られる。）と割り当てられたＩＰアドレスを表すデータとが店舗用コンピュータ１からサーバ・コンピュータ３に送信される（ステップ12）。
【００４６】
店舗用コンピュータ１から送信されたＩＰアドレス・データがサーバ・コンピュータ３において受信されると（ステップ21），店舗データベース４に格納されているＩＰアドレスのうち対応するＩＰアドレスが更新される（ステップ22）。初期設定時においては，店舗コードおよびＩＰアドレスの両方とも新規に書き込みが行われるのはいうまでもない。
【００４７】
図６は，ユーザαがディスクａに格納されている注文ソフトウエアにしたがって注文する場合の処理手順を示すフローチャートである。
【００４８】
クライアント・コンピュータ２にインストールされた注文ソフトウエアが起動させられると，クライアント・コンピュータ２の表示装置の表示画面には図７に示す識別コード入力画像が表示される。
【００４９】
図７は，識別コード入力画像の一例である。
【００５０】
識別コード入力画像には，識別コード入力領域51とＯＫ領域52とが含まれている。ユーザαは，ディスクａに刻印されている識別コードを，クライアント・コンピュータ２の入力装置を用いて入力する。入力された識別コードが識別コード入力領域51に表示されていく。ＯＫ領域52がクリックされることにより，入力された識別コードがクライアント・コンピュータ２からサーバ・コンピュータ２に送信される。
【００５１】
図６にもどって，上述したように，ユーザαによってディスクａの識別コードがクライアント・コンピュータ２に入力され（ステップ41），入力された識別コードがサーバ・コンピュータ３に送信される（ステップ42）。
【００５２】
クライアント・コンピュータ２から送信された識別コードがサーバ・コンピュータ３において受信されると（ステップ31），店舗コードが識別コードから分離される（ステップ32）。識別コードから店舗コードが分離されると，その分離された店舗コードに対応するＩＰアドレスが店舗データベース４から見つけられる（ステップ33）。店舗Ａの店舗コードは「０００１」であるから，ＩＰアドレスは「211.0.144.2」となる（図４参照）。見つけられたＩＰアドレスを表すデータがサーバ・コンピュータ３からクライアント・コンピュータ２に送信される（ステップ34）。
【００５３】
サーバ・コンピュータ３から送信されたＩＰアドレス・データがクライアント・コンピュータ２において受信されると（ステップ43），クライアント・コンピュータ２の表示装置には図８に示す注文内容入力画像が表示される（ステップ44）。
【００５４】
図８は，注文内容入力画像の一例である。この注文内容入力画像は，ポストカードの注文を行うものであるが，その他の注文を行うものでもよいのはいうまでもない。
【００５５】
注文内容入力画像（第１の注文情報入力画像）には，店舗名（店舗α），注文すべきポストカードの画像を表示する領域61，62および63が含まれている。これらの領域61，62および63に対応して，注文すべきポストカードの大きさを指定する領域71，72および73ならびに料金が表示される領域81，82および83が設けられている。また，注文内容入力画像の下段にはＯＫ領域91および合計料金表示領域92が設けられている。
【００５６】
ポストカードを注文すべき画像が表示されている領域の右側に設けられている大きさ指定領域に大きさが入力されると，対応する表示領域に料金が現れる。料金の合計が合計料金表示領域92に表示される。ＯＫ領域91がクリックされると，ポストカードの注文である旨，注文されたポストカードの識別コード，料金，注文者であるユーザαの氏名，住所，電話番号などの注文内容を表すデータがクライアント・コンピュータ２から店舗用コンピュータ１に送信される。
【００５７】
図６にもどって，上述したように，注文内容がユーザαによって入力され（ステップ45），ＯＫ領域がクリックされると（ステップ46でＹＥＳ），注文内容を表すデータがクライアント・コンピュータ２からディスクａを配布した店舗Ａに配置されている店舗用コンピュータ１に送信される（ステップ47）。すると，クライアント・コンピュータ２の表示装置の表示画面上には，注文終了画像が表示される（ステップ48）。
【００５８】
クライアント・コンピュータ２から送信された注文内容データが，店舗Ａに配置されている店舗用コンピュータ１において受信されると，その注文内容に応じたポストカードがユーザα宅に届けられる。もっとも，ユーザαが注文先の店舗Ａに取りに行っても良い。ユーザαが店舗Ａに取りに行く場合には，注文時にクライアント・コンピュータ２の表示装置の表示画面に注文先店舗の店舗名，住所等が表示されるものとなろう。もっとも，ディスクａが店舗Ａ専用のものであることをユーザαが分かり，そのディスクａに店舗名，店舗の住所等が記録されていれば，注文先にポストカードを取りに行くことができる。
【００５９】
このようにして，ユーザαにディスクａを配布した店舗Ａは，自らの店舗でユーザαからの注文を受けることができるようになる。
【００６０】
図９は，他の実施例を示すもので，クライアント・コンピュータ２の処理手順を示すフローチャートである。
【００６１】
上述した実施例においては，識別コードがサーバ・コンピュータ３に送信された後に注文内容が入力されたが，図９に示す処理においては，注文内容が入力された後に識別コードがサーバ・コンピュータ３に送信されるものである。
【００６２】
上述したのと同様に，ユーザαによって識別コードが入力されると（ステップ101），クライアント・コンピュータ２の表示装置の表示画面上には注文内容入力画像が表示される（ステップ102）。注文内容入力画像にしたがって注文内容が入力され（ステップ103），かつＯＫ領域がクリックされると（ステップ104でＹＥＳ），入力された識別コードがサーバ・コンピュータ３に送信される（ステップ105）。
【００６３】
上述したように，識別コードに含まれる店舗コードに対応するＩＰアドレスがサーバ・コンピュータ３において検索により見つけられ，サーバ・コンピュータ３からクライアント・コンピュータ２に送信される。サーバ・コンピュータ３から送信されたＩＰアドレス・データがクライアント・コンピュータ２において受信されると（ステップ106），受信したＩＰアドレス・データによって特定されるＩＰアドレスをもつ店舗用コンピュータ１に，入力された注文内容を表すデータが送信される（ステップ107）。注文終了画像がクライアント・コンピュータ２の表示装置の表示画面上に表示される（ステップ108）。
【００６４】
図10は，さらに他の実施例を示すもので，サーバ・コンピュータ３とクライアント・コンピュータ２との間の処理手順の一部を示すフローチャートである。
【００６５】
上述した実施例においては識別コードから店舗コードを分離するのはサーバ・コンピュータ３において行われていたが，図10に示す処理においては，クライアント・コンピュータにおいて行われる。また，上述した実施例においては，識別コードはユーザαによって入力されているが，図10に示す処理においては，識別コードはディスクａに記録されており，ディスクａから読み取られる。
【００６６】
ディスクａがクライアント・コンピュータ２にインストールされると，ディスクａにストアされている注文ソフトウエアがクライアント・コンピュータ２にインストールされるとともに，ディスク２に記録されている識別コードが読み取られる（ステップ121）。読み取られた識別コードはクライアント・コンピュータ２の記憶装置に記憶される。クライアント・コンピュータ２において，識別コードから店舗コードが分離される（ステップ122）。分離された店舗コードがクライアント・コンピュータ２からサーバ・コンピュータ３に送信される（ステップ123）。
【００６７】
クライアント・コンピュータ２から送信された店舗コードがサーバ・コンピュータ３において受信されると（ステップ111），店舗コードに対応するＩＰアドレスが見つけられる（ステップ113）。見つけられたＩＰアドレスを表すデータがサーバ・コンピュータ３からクライアント・コンピュータ２に送信される（ステップ114）。
【００６８】
サーバ・コンピュータ３から送信されたＩＰアドレス・データがクライアント・コンピュータ２において受信されると（ステップ124），上述したように，そのＩＰアドレスをもつ店舗用コンピュータ１に注文内容データが送信されるようになる。
【００６９】
図11は，さらに他の実施例を示すもので，クライアント・コンピュータ２の処理手順を示すフローチャートである。この処理は，注文内容を入力した後に，クライアント・コンピュータ２において識別コードから店舗コードを分離し，分離した店舗コードをサーバ・コンピュータ３に送信するものである。
【００７０】
上述したように，ディスクａには識別コードが記録されており，この識別コードがディスクａから読み取られる（ステップ131）。クライアント・コンピュータ２の表示装置の表示画面上には注文内容入力画像が表示され（ステップ102），注文内容が入力される（ステップ103），注文内容入力画像のＯＫ領域がクリックされると（ステップ104でＹＥＳ），識別コードから店舗コードが分離される（ステップ132）。分離された店舗コードがクライアント・コンピュータ２からサーバ・コンピュータ３に送信される（ステップ133）。
【００７１】
上述したように，サーバ・コンピュータ３において店舗コードに対応するＩＰアドレスが見つけられ，ＩＰアドレスを表すデータがクライアント・コンピュータ２に送信される。
【００７２】
サーバ・コンピュータ３から送信されたＩＰアドレス・データがクライアント・コンピュータ２において受信されると（ステップ106），そのＩＰアドレス・データによって特定されるアドレスをもつ店舗用コンピュータ１に注文内容を表すデータが送信される（ステップ107）。クライアント・コンピュータ２の表示装置の表示画面上には注文終了画像が表示される（ステップ108）。
【００７３】
図12から図15は，さらに他の実施例を示すものである。図12および図13は，サーバ・コンピュータ３とクライアント・コンピュータ２との間の処理手順を示すフローチャート，図14および図15は，クライアント・コンピュータ２の表示装置の表示画面に表示される画像の一例である。図12および図13において図６に示す処理と同じ処理については同一符号を付して説明を省略する。
【００７４】
この実施例は，ディスクａを配布した店舗Ａ以外に注文ができるものである。このために，注文内容入力画像（第２の注文情報入力画像）には，図14に示すように，他店舗選択領域95が含まれている。ディスクａを配布した店舗Ａ以外の店舗に注文する場合にはユーザαによって他店舗選択領域95がクリックされる（図12ステップ141でＹＥＳ）。すると，クライアント・コンピュータ２からサーバ・コンピュータ３に他店舗のＩＰアドレスのリクエストが送信される（図13ステップ142）。
【００７５】
クライアント・コンピュータ２から送信されたＩＰアドレス・リクエストがサーバ・コンピュータ３において受信されると（図13ステップ35でＹＥＳ），店舗データベース４が検索され，店舗Ａ以外の店舗（他店舗）のＩＰアドレスが見つけられる。見つけられた他店舗のＩＰアドレス・データがサーバ・コンピュータ３からクライアント・コンピュータ２に送信される（図13ステップ36）。
【００７６】
サーバ・コンピュータ３から送信された他店舗ＩＰアドレス・データがクライアント・コンピュータ２において受信されると（図13ステップ143），クライアント・コンピュータ２の表示装置の表示画面上に店舗一覧画像が表示される（図13ステップ144）。
【００７７】
図15は，店舗一覧画像の一例である。
【００７８】
店舗一覧画像には，店舗一覧表示領域150が含まれている。この店舗一覧表示領域150内にユーザからの注文を受け付ける店舗名表示領域151，152，153などが含まれている。また，店舗一覧画像には，スクロール・ボタン155および156も含まれている。これらのボタン155または156がクリックされることにより，領域150に表示されていない店舗が領域150に表示される。これらの店舗名表示領域151，152，153などは，クリック可能であり，ユーザαによってクリックされることにより（図13ステップ145でＹＥＳ）対応する店舗の注文内容入力画像（図14参照）が，クライアント・コンピュータ２の表示装置の表示画面上に表示される。注文内容が入力されることにより，入力された注文内容を表すデータがユーザαによって指定された店舗に配置されている店舗用コンピュータに送信されるようになる。ユーザの所望の店舗に注文できるようになる。
【００７９】
このように構成した場合であっても，注文ソフトウエアが格納されているディスクａを配布した店舗Ａへの注文内容入力画像が最初に表示されるので，その店舗Ａへの注文が優先的に行われるようになる。
【図面の簡単な説明】
【００８０】
【図１】注文ソフトウエアが格納されているディスクがユーザに配布される様子を示している。
【図２】識別コードの一例である。
【図３】注文システムの概要である。
【図４】店補データベースに格納されている店舗コードとＩＰアドレスとの一例である。
【図５】店舗コード更新処理を示すフローチャートである。
【図６】サーバ・コンピュータとクライアント・コンピュータとの処理手順を示すフローチャートである。
【図７】識別コード入力画像の一例である。
【図８】注文内容入力画像の一例である。
【図９】クライアント・コンピュータの処理手順を示すフローチャートである。
【図１０】サーバ・コンピュータとクライアント・コンピュータとの処理手順を示すフローチャートの一例である。
【図１１】クライアント・コンピュータの処理手順の一例である。
【図１２】サーバ・コンピュータとクライアント・コンピュータとの処理手順の一部を示すフローチャートである。
【図１３】サーバ・コンピュータとクライアント・コンピュータとの処理手順の一部を示すフローチャートである。
【図１４】注文内容入力画像の一例である。
【図１５】店舗一覧画像の一例である。
【符号の説明】
【００８１】
１  店舗用コンピュータ
２  クライアント・コンピュータ
３  サーバ・コンピュータ
４  店舗データベース
Ａ，Ｂ・・・Ｎ  店舗
Ｓ  サーバ・コンピュータ用ソフトウエアが格納されているディスク
ａ，ｂ・・・ｎ  注文ソフトウエアが格納されているディスク
α  ディスクａが配布されたユーザ
【図１】
2005202459.tif 000003
【図２】
2005202459.tif 000004
【図３】
2005202459.tif 000005
【図４】
2005202459.tif 000006
【図５】
2005202459.tif 000007
【図６】
2005202459.tif 000008
【図７】
2005202459.tif 000009
【図８】
2005202459.tif 000010
【図９】
2005202459.tif 000011
【図１０】
2005202459.tif 000012
【図１１】
2005202459.tif 000013
【図１２】
2005202459.tif 000014
【図１３】
2005202459.tif 000015
【図１４】
2005202459.tif 000016
【図１５】
2005202459.tif 000017